(57)【要約】      （修正有）【課題】簡単に固定して持ち運ぶことができ、カップを手に持って走る必要がなく、スポーツ時の水分補給を便利にするカップセットを提供する。【解決手段】カップセットは、フック差込口１０およびストッパー１１を表側に有し、ストッパーの作動および／または解除が可能なプッシュボタン１２を上部に有し、押さえ１４およびスナップフィットクリップ１３を裏側に有し、ベルトや自転車ハンドルに固定可能なドリンクホルダー１と、ドリンクホルダーに固定可能に設けられ、片側に固定用フック２１を有するカップ２と、を備える。【選択図】図１
0003229564.tif 000002
【実用新案登録請求の範囲】
【請求項１】
フック差込口およびストッパーを表側に有し、前記ストッパーの作動および／または解除が可能なプッシュボタンを上部に有し、押さえおよびスナップフィットクリップを裏側に有するドリンクホルダーと、
前記ドリンクホルダーに固定可能に設けられ、片側に固定用フックを有するカップと、
を備えるカップセット。
【請求項２】
フック差込口およびストッパーを表側に有し、前記ストッパーの作動および／または解除が可能なプッシュボタンを上部に有し、押さえおよびスナップフィットクリップを裏側に有するドリンクホルダーと、
前記ドリンクホルダーに固定可能に設けられ、中央部に挿入部が形成され、片側に固定用フックを有し、前記固定用フックの反対側にストレッチ素材ベルトが付けられているボトルカバーと、
前記ボトルカバー内に挿入可能に設けられるカップと、
を備えるカップセット。
【請求項３】
前記ストレッチ素材ベルトは前記ボトルカバーの外側に付けることが可能な請求項２に記載のカップセット。
【考案の詳細な説明】
【技術分野】
【０００１】
本考案は、カップセットに関し、特にスポーツ時の持ち運びおよび取り外しが容易な多機能カップセットに関する。
【背景技術】
【０００２】
現在、多くの人々がマラソンや登山など様々なスポーツを楽しんでいる。しかし、マラソン大会では通常、給水所で紙コップが使用され、毎回大量の紙コップが廃棄されるため環境問題となっている。このため主催者がランナーにカップを渡し、各給水所でそのカップに給水をする方法があるが、この場合、ランナーは常時手にカップを持って走らなければならず、「一人一カップ」によるごみ削減方法は実施が難しい状況である。
【考案の概要】
【考案が解決しようとする課題】
【０００３】
本考案の目的は、スポーツ時の水分補給を便利にするカップセットを提供することである。
【課題を解決するための手段】
【０００４】
本考案のカップセットは、フック差込口およびストッパーを表側に有し、ストッパーの作動および／または解除が可能なプッシュボタンを上部に有し、押さえおよびスナップフィットクリップを裏側に有するドリンクホルダーと、
ドリンクホルダーに固定可能に設けられ、片側に固定用フックを有するカップと、
を備える。
【０００５】
本考案のもう一つのカップセットは、フック差込口およびストッパーを表側に有し、ストッパーの作動および／または解除が可能なプッシュボタンを上部に有し、押さえおよびスナップフィットクリップを裏側に有するドリンクホルダーと、
ドリンクホルダーに固定可能に設けられ、中央部に挿入部が形成され、片側に固定用フックを有し、固定用フックの反対側にストレッチ素材ベルトが付けられているボトルカバーと、
ボトルカバー内に挿入可能に設けられるカップと、
を備える。
【０００６】
好ましくは、ストレッチ素材ベルトはボトルカバーの外側に付けることが可能である。
【図面の簡単な説明】
【０００７】
【図１】本考案の第一実施形態によるカップセットの分解斜視図である。
【図２】本考案の第一実施形態によるカップセットの斜視図である。
【図３】本考案の第一実施形態によるカップセットの使用状態を示す図である。
【図４】本考案の第二実施形態によるカップセットの分解斜視図である。
【図５】本考案の第二実施形態によるカップセットの斜視図である。
【図６】本考案の第二実施形態によるカップセットの使用状態を示す斜視図である。
【図７】本考案の第二実施形態によるカップセットの使用状態を示す斜視図である。
【図８】本考案の第二実施形態によるカップセットの使用状態を示す斜視図である。
【図９】本考案の第二実施形態によるカップセットのドリンクホルダーを自転車のハンドルに取付けた状態を示す斜視図である。
【図１０】本考案の第二実施形態によるカップセットの斜視図である。
【考案を実施するための形態】
【０００８】
(第一実施形態)
図１−３を参照する。本考案の第一実施形態によるカップセットは、ドリンクホルダー１とカップ２で構成される。ドリンクホルダー１は表側にフック差込口１０とストッパー１１を有し、上部にストッパー１１の作動および／または解除が可能なプッシュボタン１２を有する。ドリンクホルダー１は裏側にスナップフィットクリップ１３と、押さえ１４を有し、スナップフィットクリップ１３は下部に底面部１３０を有する。カップ２はドリンクホルダー１に取付けられる。カップ２は固定用フック２１を有し、固定用フック２１は溝２１０とストッパー受け２１１を有し、溝２１０はフック差込口１０より僅かに小さいため、ドリンクホルダー１のフック差込口１０に沿って差し込むことが可能である。
【０００９】
使用する際、使用者は先ずベルトにドリンクホルダー１を取付け、カップ２の固定用フック２１の溝２１０を、ドリンクホルダー１のフック差込口１０に差込んでセットする。固定用フック２１をフック差込口１０の奥まで差し込むと固定用フック２１のストッパー受け２１１がストッパー１１にしっかりはまり、カップ２を簡単に固定することが可能である。
【００１０】
使用者がカップ２をドリンクホルダー１から外して水を飲むときには、ドリンクホルダー１のプッシュボタン１２を押し、ストッパー１１をカップ２のストッパー受け２１１から外し、固定用フック２１をフック差込口１０に沿って上に持ち上げると簡単にカップ２を取り外し、水分補給することが可能である。カップ２を再度固定する場合は、カップ２の固定用フック２１の溝２１０を、ドリンクホルダー１のフック差込口１０に下向きに入れ、ストッパー１１がかかるまで差込むとカップ２をセットすることが可能である。
【００１１】
(第二実施形態)
図４−１０を参照する。本考案の第二実施形態によるカップセットは、ドリンクホルダー１、ボトルカバー３およびカップ４で構成される。ドリンクホルダー１は表側にフック差込口１０とストッパー１１を有し、上部にストッパー１１の作動および／または解除が可能なプッシュボタン１２を有する。ドリンクホルダー１は裏側にスナップフィットクリップ１３と、押さえ１４を有する。ボトルカバー３はドリンクホルダー１に取付けることが可能で、ボトルカバー３は片側に、固定用フック３０を有し、固定用フック３０は溝３００およびストッパー受け３０１を有する。ボトルカバー３は中央に挿入部３１を有し、ボトルカバー３は内側表面に滑り止め素材３２が使われている。ボトルカバー３は固定用フック３０の反対側にストレッチ素材ベルト３３およびＵ字型カップ受け３４を有し、ボトルカバー３は両側に手提げ３５を有する。また、ストレッチ素材ベルト３３は、幅を調節することが可能な面ファスナーであってもよい。ボトルカバー３はカップ４を入れることが可能な図１０のような形状にもなり、カップ４をボトルカバー３にしっかり固定することが可能である。
【００１２】
使用する際、使用者はドリンクホルダー１を使用者の腰のベルトまたは自転車のハンドルに固定し、カップ４またはペットボトルをボトルカバー３の挿入部３１に挿入する。使用者がカップ４またはペットボトルを奥まで入れると、カップ４またはペットボトルはボトルカバー３のストレッチ素材ベルト３３によって固定され、同時に、ボトルカバー３内側の滑り止め素材３２により、しっかりと取付けられる。カップ４またはペットボトルを完全に固定させるために、使用者は、ボトルカバー３の固定用フック３０の溝３００を、ドリンクホルダー１のフック差込口１０に合わせて下まで差込む。固定用フック３０のストッパー受け３０１にストッパー１１がしっかりはまると、ボトルカバー３をドリンクホルダー１に固定することが可能で、カップ４またはペットボトルをいつでも便利に持ち運ぶことが可能となる。
【００１３】
上記説明より、本実施形態によるカップセットは次の効果を有する。
１、本実施形態によるカップセットのカップ２とカップ４を、簡単便利に固定することが可能である。
２、本実施形態によるカップセットのカップ２とカップ４の持ち運びが便利で、ランナーはカップ２とカップ４を手に持って走る必要がなく、紙コップの使用量を効果的に抑制することが可能で、環境保護に役立つ。
ただし、上述の実施例は本考案を例示するものであり、決して本考案を限定するものではなく、本考案の精神に基づく同等の効果が得られる改変はすべて本考案の範囲に属する。
【符号の説明】
【００１４】
１        ドリンクホルダー
１０      フック差込口
１１      ストッパー
１２      プッシュボタン
１３      スナップフィットクリップ
１３０    底面部
１４      押さえ
２        カップ
２１      固定用フック
２１０    溝
２１１    ストッパー受け
３        ボトルカバー
３０      固定用フック
３００    溝
３０１    ストッパー受け
３１      挿入部
３２      滑り止め素材
３３      ストレッチ素材ベルト
３４      Ｕ字型カップ受け
３５      手提げ
４        カップ
【図１】
0003229564.tif 000003
【図２】
0003229564.tif 000004
【図３】
0003229564.tif 000005
【図４】
0003229564.tif 000006
【図５】
0003229564.tif 000007
【図６】
0003229564.tif 000008
【図７】
0003229564.tif 000009
【図８】
0003229564.tif 000010
【図９】
0003229564.tif 000011
【図１０】
0003229564.tif 000012